(57)【要約】【課題】調湿能力を向上させることができる調湿装置および空気調和機を提供する。【解決手段】調湿装置４ａは、吸脱着部材４１と、放電電極４２と、吸着用送風装置４６およびラジアルファン組立体４８とを備える。吸脱着部材４１は、水分を吸着可能であると共に加熱されることにより水分を離脱する。放電電極４２は、吸脱着部材４１に対向して配置され、プラズマを生起させる。吸着用送風装置４６およびラジアルファン組立体４８は、吸脱着部材４１を通り室内へ供給される空気の流れと、吸脱着部材４１を通り室外へ排出される空気の流れとを生成する。そして、吸脱着部材４１には、空気の通過方向に貫通する切り欠き又は孔が設けられている。【選択図】図３
2008064365.tif 000002
【特許請求の範囲】
【請求項１】
水分を吸着可能であると共に加熱されることにより水分を離脱する吸脱着部材（４１）と、
前記吸脱着部材（４１）に対向して配置され、プラズマを生起させる放電部（４２）と、
前記吸脱着部材（４１）を通り室内へ供給される空気の流れと、前記吸脱着部材（４１）を通り室外へ排出される空気の流れとを生成する送風部（４６，４８）と、
を備え、
前記吸脱着部材（４１）には、空気の通過方向に貫通する切り欠き又は孔が設けられている、
調湿装置（４ａ，４ｃ）。
【請求項２】
前記放電部（４２）は、前記吸脱着部材（４１）の一部に対向しており、
室外または室内から取り込まれ、前記吸脱着部材（４１）のうち前記放電部（４２）に対向しない位置を通過し、室外へ排出される空気が通る第１空気通路（４９ａ）と、
室外または室内から取り込まれ、前記吸脱着部材（４１）のうち前記放電部（４２）に対向する位置を通過し、室内へ供給される空気が通る第２空気通路（４９ｂ）と、
前記放電部（４２）に対向しない部分と、前記放電部（４２）に対向する部分とが交互に入れ替わるように前記吸脱着部材（４１）を回転させる駆動部（４７）と、
をさらに備え、
前記送風部（４６，４８）は、前記第１空気通路（４９ａ）を通る空気の流れを生成する第１送風装置（４６）と、前記第２空気通路（４９ｂ）を通る空気の流れを生成する第２送風装置（４７）とを有する、
請求項１に記載の調湿装置（４ａ）。
【請求項３】
前記放電部（４２）は、前記吸脱着部材（４１）の一部に対向しており、
室外または室内から取り込まれ、前記吸脱着部材（４１）のうち前記放電部（４２）に対向しない位置を通過し、室内へ供給される空気が通る第３空気通路（４９ｃ）と、
室外または室内から取り込まれ、前記吸脱着部材（４１）のうち前記放電部（４２）に対向する位置を通過し、室外へ排出される空気が通る第４空気通路（４９ｄ）と、
前記放電部（４２）に対向しない部分と、前記放電部（４２）に対向する部分とが交互に入れ替わるように前記吸脱着部材（４１）を回転させる駆動部（４７）と、
をさらに備え、
前記送風部（４６，４８）は、前記第３空気通路（４９ｃ）を通る空気の流れを生成する第３送風装置（４８）と、前記第４空気通路（４９ｄ）を通る空気の流れを生成する第４送風装置（４６）とを有する、
請求項１に記載の調湿装置（４ｃ）。
【請求項４】
前記吸脱着部材（４１）は、空気の通過方向に平行な回転軸を中心に回転可能に設けられており、複数の短冊状部材（４１０）が前記回転軸を中心に間隔を空けて放射状に配置された形状を有する、
請求項２または３に記載の調湿装置（４ａ，４ｃ）。
【請求項５】
隙間を隔てて配置され、水分を吸着可能であると共に加熱されることにより水分を離脱する複数の吸脱着部材（５４，８４，８５）と、
前記吸脱着部材（５４，８４，８５）の間の各隙間に配置され、プラズマを生起させる複数の放電部（８１）と、
前記吸脱着部材（５４，８４，８５）を通り室内へ供給される空気の流れと、前記吸脱着部材（５４，８４，８５）を通り室外へ排出される空気の流れとを生成する送風部（５９）と、
を備える調湿装置（４ｂ）。
【請求項６】
前記吸脱着部材（５４，８４）の間の隙間は、前記吸脱着部材（５４，８４）を通る空気の通過方向に沿って設けられている、
請求項５に記載の調湿装置（４ｂ）。
【請求項７】
前記吸脱着部材（８５）の間の隙間は、前記吸脱着部材（８５）を通る空気の通過方向に交差する方向に沿って設けられている、
請求項５に記載の調湿装置（４ｂ）。
【請求項８】
前記送風部（５９）によって生成される空気の流れを、室外または室内から取り込まれ前記吸加湿部材を通って室外へ排出される第１流れ状態と、室外又は室内から取り込まれ前記吸加湿部材を通って室内へ供給される第２流れ状態とに切り替える切替部（７４）と、
前記放電部（８１）からプラズマを生起させず且つ前記送風部（５９）によって生成される空気の流れを前記第１流れ状態にする加湿水分吸着運転と、前記放電部（８１）からプラズマを生起させ且つ前記送風部（５９）によって生成される空気の流れを前記第２流れ状態にする加湿水分離脱運転とを選択的に実行可能な制御部（７８）と、
を備える請求項５から７のいずれかに記載の調湿装置（４ｂ）。
【請求項９】
前記送風部（５９）によって生成される空気の流れを、室外又は室内から取り込まれ前記吸加湿部材を通って室内へ供給される第３流れ状態と、室外又は室内から取り込まれ前記吸加湿部材を通って室外へ排出される第４流れ状態とに切り替える切替部（７４）と、
前記放電部（８１）からプラズマを生起させず且つ前記送風部（５９）によって生成される空気の流れを前記第３流れ状態にする除湿水分吸着運転と、前記放電部（８１）からプラズマを生起させ且つ前記送風部（５９）によって生成される空気の流れを前記第４流れ状態にする除湿水分離脱運転とを選択的に実行可能な制御部（７８）と、
を備える請求項５から７のいずれかに記載の調湿装置（４ｂ）。
【請求項１０】
請求項１から９のいずれかに記載の調湿装置（４ａ，４ｂ，４ｃ）を備える空気調和機（１）。
【発明の詳細な説明】
【技術分野】
【０００１】
本発明は、調湿装置および空気調和機に関する。
【背景技術】
【０００２】
従来、加湿された空気や除湿された空気を室内に送ることにより室内の湿度を調整する調湿装置が利用されている。この調湿装置は、ゼオライト等の吸着剤が担持された吸加湿部材を備えている。この吸加湿部材は、板状や円盤状の形状を有しており、通過する空気から水分を吸着すると共に、加熱されることにより吸着した水分を離脱することができる。また、調湿装置には、吸加湿部材から水分を離脱させるためのプラズマ発生装置を備えるものがある。プラズマ発生装置は、プラズマを発生させて吸加湿部材にプラズマを印可することにより、吸加湿部材から水分を離脱させることができる（特許文献１参照）。これにより、室内の加湿や除湿を行うことができる。
【特許文献１】特開２００１−１７９０３７号公報
【発明の開示】
【発明が解決しようとする課題】
【０００３】
しかし、上記のようにプラズマによって吸加湿部材から水分を離脱させる場合、吸加湿部材の内部にはプラズマのエネルギーが届き難いため、吸加湿部材の内部から十分に水分を離脱させることは困難である。このため、調湿装置の調湿能力が低下する恐れがある。
【０００４】
本発明の課題は、調湿能力を向上させることができる調湿装置および空気調和機を提供することにある。
【課題を解決するための手段】
【０００５】
第１発明に係る調湿装置は、吸脱着部材と、放電部と、送風部とを備える。吸脱着部材は、水分を吸着可能であると共に加熱されることにより水分を離脱する。放電部は、吸脱着部材に対向して配置され、プラズマを生起させる。送風部は、吸脱着部材を通り室内へ供給される空気の流れと、吸脱着部材を通り室外へ排出される空気の流れとを生成する。そして、吸脱着部材には、空気の通過方向に貫通する切り欠き又は孔が設けられている。
【０００６】
この調湿装置では、プラズマを生起させる放電部が、吸脱着部材に対向して配置されており、吸脱着部材には空気の通過方向に貫通する切り欠き又は孔が設けられている。このため、放電部から生起されたプラズマが切り欠き又は孔を通って吸脱着部材の内部まで到達し易くなっている。これにより、この調湿装置では、吸加湿部材の内部から水分を十分に離脱させることができ、調湿能力を向上させることができる。また、プラズマによって吸脱着部材からの水分の離脱が行われるため、電熱式のヒーターの場合と比べて、エネルギー効率を向上させることもできる。
【０００７】
第２発明に係る調湿装置は、第１発明の調湿装置であって、放電部は、吸脱着部材の一部に対向しており、第１空気通路と、第２空気通路と、駆動部とをさらに備える。第１空気通路は、室外または室内から取り込まれ、吸脱着部材のうち放電部に対向しない位置を通過し、室外へ排出される空気が通る空気通路である。第２空気通路は、室外または室内から取り込まれ、吸脱着部材のうち放電部に対向する位置を通過し、室内へ供給される空気が通る空気通路である。駆動部は、放電部に対向しない部分と、放電部に対向する部分とが交互に入れ替わるように吸脱着部材を回転させる。そして、送風部は、第１空気通路を通る空気の流れを生成する第１送風装置と、第２空気通路を通る空気の流れを生成する第２送風装置とを有する。
【０００８】
この調湿装置では、第１空気通路を通る空気は、吸加湿部材のうち放電部と対向しない位置を通ることにより、吸加湿部材に水分を奪われ、室外へ排出される。この吸加湿部材のうち水分を吸着した部分は、吸加湿部材が回転することによって放電部と対向する位置に移動する。ここで、第２空気通路を通る空気は、吸加湿部材のうち放電部と対向する位置を通る。吸加湿部材の放電部と対向する部分は、放電部から生起されるプラズマのエネルギーによって、第２空気通路を通る空気中に水分を離脱する。これにより、水分を多く含む空気が室内へ供給される。また、吸加湿部材のうち水分を離脱した部分は、吸加湿部材が回転することにより放電部と対向しない位置に移動して再び水分を吸着する。以上の動作が繰り返し行われることにより、室内の加湿が行われる。
【０００９】
このように、この調湿装置では、吸加湿部材を回転させることによって、放電部と対向する部分と放電部と対向しない部分とを交互に入れ替えることができ、プラズマを受ける部分と、プラズマを受けない部分とを繰り返し入れ替えることができる。これにより、吸加湿部材において水分の吸着と離脱とが並行して繰り返され、無給水での室内の加湿が可能となる。
【００１０】
第３発明に係る調湿装置は、第１発明の調湿装置であって、放電部は、吸脱着部材の一部に対向しており、第３空気通路と、第４空気通路と、駆動部とをさらに備える。第３空気通路は、室外または室内から取り込まれ、吸脱着部材のうち放電部に対向しない位置を通過し、室内へ供給される空気が通る空気通路である。第４空気通路は、室外または室内から取り込まれ、吸脱着部材のうち放電部に対向する位置を通過し、室外へ排出される空気が通る空気通路である。駆動部は、放電部に対向しない部分と、放電部に対向する部分とが交互に入れ替わるように吸脱着部材を回転させる。そして、送風部は、第３空気通路を通る空気の流れを生成する第３送風装置と、第４空気通路を通る空気の流れを生成する第４送風装置とを有する。
【００１１】
この調湿装置では、第３空気通路を通る空気は、吸加湿部材のうち放電部と対向しない位置を通ることにより、吸加湿部材に水分を奪われ、室内に供給される。これにより、水分の含有量の少ない空気が室内に供給され、室内の除湿を行うことができる。そして、この吸加湿部材のうち水分を吸着した部分は、吸加湿部材が回転することによって放電部と対向する位置に移動する。ここで、第４空気通路を通る空気は、吸加湿部材のうち放電部と対向する位置を通る。吸加湿部材のうち放電部と対向する部分は、プラズマのエネルギーによって、第４空気通路を通る空気中に水分を離脱する。これにより、水分を多く含む空気が室外へ排出される。また、吸加湿部材のうち水分を離脱した部分は、吸加湿部材が回転することにより放電部と対向しない位置に移動して再び水分を吸着する。以上の動作が繰り返し行われることにより、室内の除湿が行われる。
【００１２】
このように、この調湿装置では、吸加湿部材が回転することによって、放電部と対向する部分と放電部と対向しない部分との位置を繰り返し入れ替えることができ、プラズマを受ける部分と、プラズマを受けない部分とを繰り返し入れ替えることができる。これにより、吸加湿部材において水分の吸着と離脱とが並行して繰り返され、水分の処理が不要な室内の除湿が可能となる。
【００１３】
第４発明に係る調湿装置は、第２発明または第３発明の調湿装置であって、吸脱着部材は、空気の通過方向に平行な回転軸を中心に回転可能に設けられており、複数の短冊状部材が回転軸を中心に間隔を空けて放射状に配置された形状を有する。
【００１４】
この調湿装置では、吸脱着部材は、複数の短冊状部材が間隔を空けて配置された形状を有しており、複数の短冊状部材の間の隙間が、吸加湿部材を回転軸方向すなわち空気の通過方向に貫通する切り欠きとなっている。このため、吸加湿部材の加工が困難な場合であっても、切り欠きを有する吸加湿部材を容易に形成することができる。
【００１５】
第５発明に係る調湿装置は、複数の吸脱着部材と、複数の放電部と、送風部とを備える。複数の吸脱着部材は、隙間を隔てて配置され、水分を吸着可能であると共に加熱されることにより水分を離脱する。複数の放電部は、吸脱着部材の間の各隙間に配置され、プラズマを生起させる。送風部は、吸脱着部材を通り室内へ供給される空気の流れと、吸脱着部材を通り室外へ排出される空気の流れとを生成する。
【００１６】
この調湿装置では、複数の吸脱着部材の間の各隙間に、複数の放電部が配置されている。このため、放電部から生起されたプラズマが吸脱着部材の間の隙間を通って吸脱着部材の内部まで到達し易くなっており、吸加湿部材の内部から十分に水分を離脱させることができる。これにより、この調湿装置では、調湿能力を向上させることができる。また、プラズマによって吸脱着部材からの水分の離脱が行われるため、電熱式のヒーターの場合と比べて、エネルギー効率を向上させることもできる。
【００１７】
第６発明に係る調湿装置は、第５発明の調湿装置であって、吸脱着部材の間の隙間は、吸脱着部材を通る空気の通過方向に沿って設けられている。
【００１８】
この調湿装置では、吸脱着部材の間の隙間が空気の通過方向に沿って設けられているため、プラズマが空気の通過方向に沿って吸脱着部材のより遠い位置まで到達することができる。
【００１９】
第７発明に係る調湿装置は、第５発明の調湿装置であって、吸脱着部材の間の隙間は、吸脱着部材を通る空気の通過方向に交差する方向に沿って設けられている。
【００２０】
この調湿装置では、吸脱着部材の間の隙間は、空気の通過方向に交差する方向に沿って設けられている。このため、吸脱着部材に空気を十分に通すことができる。
【００２１】
第８発明に係る調湿装置は、第５発明から第７発明のいずれかの調湿装置であって、切替部と制御部とをさらに備える。切替部は、送風部によって生成される空気の流れを、第１流れ状態と第２流れ状態とに切り替える。第１流れ状態は、室外または室内から取り込まれ吸加湿部材を通って室外へ排出される空気の流れの状態である。第２流れ状態は、室外又は室内から取り込まれ吸加湿部材を通って室内へ供給される空気の流れの状態である。制御部は、放電部からプラズマを生起させず且つ送風部によって生成される空気の流れを第１流れ状態にする加湿水分吸着運転と、放電部からプラズマを生起させ且つ送風部によって生成される空気の流れを第２流れ状態にする加湿水分離脱運転とを選択的に実行可能である。
【００２２】
この調湿装置では、加湿水分吸着運転では、放電部からプラズマが生起されておらず吸加湿部材からの水分の離脱が行われない。このため、吸加湿部材を通過する空気に含まれている水分が吸加湿部材に吸着され、水分を奪われた空気は室外へ排出される。次に、加湿水分吸着運転から加湿水分離脱運転に切り替えられると、放電部からプラズマが生起され、吸加湿部材から水分が離脱される。これにより、水分を多く含む空気が室内に供給される。以上のように、この調湿装置では、加湿水分吸着運転と加湿水分離脱運転とが選択的に実行され交互に繰り返されることによって、吸加湿部材への水分の吸着と、吸加湿部材からの水分の離脱とが繰り返される。これにより、無給水での室内の加湿が可能となる。
【００２３】
第９発明に係る調湿装置は、第５発明から第７発明のいずれかの調湿装置であって、切替部と制御部とをさらに備える。切替部は、送風部によって生成される空気の流れを、第３流れ状態と第４流れ状態とに切り替える。第３流れ状態は、室外又は室内から取り込まれ吸加湿部材を通って室内へ供給される空気の流れの状態である。第４流れ状態は、室外又は室内から取り込まれ吸加湿部材を通って室外へ排出される空気の流れの状態である。制御部は、放電部からプラズマを生起させず且つ送風部によって生成される空気の流れを第３流れ状態にする除湿水分吸着運転と、放電部からプラズマを生起させ且つ送風部によって生成される空気の流れを第４流れ状態にする除湿水分離脱運転とを選択的に実行可能である。
【００２４】
この調湿装置では、除湿水分吸着運転では、放電部からプラズマが生起されておらず、加湿部材からの水分の離脱が行われない。このため、吸加湿部材を通過する空気に含まれている水分が吸加湿部材に吸着され、水分を奪われた空気が室内へ供給される。これにより、水分の含有量の少ない空気が室内に送られ、室内の除湿が行われる。次に、除湿水分吸着運転から除湿水分離脱運転に切り替えられると、放電部からプラズマが生起され、加湿部材からの水分の離脱が行われる。これにより、水分を多く含む空気が室外に排出される。以上のように、この調湿装置では、除湿水分吸着運転と除湿水分離脱運転とが選択的に実行され交互に繰り返されることによって、吸加湿部材への水分の吸着と、吸加湿部材からの水分の離脱とが繰り返される。これにより、水分の処理が不要な室内の除湿が可能となる。
【００２５】
第１０発明の空気調和機は、請求項１から９のいずれかに記載の調湿装置を備える。
【発明の効果】
【００２６】
第１発明に係る調湿装置では、プラズマを生起させる放電部が、吸脱着部材に対向して配置されており、吸脱着部材には空気の通過方向に貫通する切り欠き又は孔が設けられている。このため、放電部から生起されたプラズマが切り欠き又は孔を通って吸脱着部材の内部まで到達し易くなっている。これにより、この調湿装置では、吸加湿部材の内部から水分を十分に離脱させることができ、調湿能力を向上させることができる。また、プラズマによって吸脱着部材からの水分の離脱が行われるため、電熱式のヒーターの場合と比べて、エネルギー効率を向上させることもできる。
【００２７】
第２発明に係る調湿装置では、吸加湿部材を回転させることによって、放電部と対向する部分と放電部と対向しない部分とを交互に入れ替えることができ、プラズマを受ける部分と、プラズマを受けない部分とを繰り返し入れ替えることができる。これにより、吸加湿部材において水分の吸着と離脱とが並行して繰り返され、無給水での室内の加湿が可能となる。
【００２８】
第３発明に係る調湿装置では、吸加湿部材が回転することによって、放電部と対向する部分と放電部と対向しない部分との位置を繰り返し入れ替えることができ、プラズマを受ける部分と、プラズマを受けない部分とを繰り返し入れ替えることができる。これにより、吸加湿部材において水分の吸着と離脱とが並行して繰り返され、水分の処理が不要な室内の除湿が可能となる。
【００２９】
第４発明に係る調湿装置では、吸脱着部材は、複数の短冊状部材が間隔を空けて配置された形状を有しており、複数の短冊状部材の間の隙間が、吸加湿部材を回転軸方向すなわち空気の通過方向に貫通する切り欠きとなっている。このため、吸加湿部材の加工が困難な場合であっても、切り欠きを有する吸加湿部材を容易に形成することができる。
【００３０】
第５発明に係る調湿装置では、複数の吸脱着部材の間の各隙間に、複数の放電部が配置されている。このため、放電部から生起されたプラズマが吸脱着部材の間の隙間を通って吸脱着部材の内部まで到達し易くなっており、吸加湿部材の内部から十分に水分を離脱させることができる。これにより、この調湿装置では、調湿能力を向上させることができる。また、プラズマによって吸脱着部材からの水分の離脱が行われるため、電熱式のヒーターの場合と比べて、エネルギー効率を向上させることもできる。
【００３１】
第６発明に係る調湿装置では、吸脱着部材の間の隙間が空気の通過方向に沿って設けられているため、プラズマが空気の通過方向に沿って吸脱着部材のより遠い位置まで到達することができる。
【００３２】
第７発明に係る調湿装置では、加湿水分吸着運転では、放電部からプラズマが生起されておらず吸加湿部材からの水分の離脱が行われない。このため、吸加湿部材を通過する空気に含まれている水分が吸加湿部材に吸着され、水分を奪われた空気は室外へ排出される。次に、加湿水分吸着運転から加湿水分離脱運転に切り替えられると、放電部からプラズマが生起され、吸加湿部材から水分が離脱される。これにより、水分を多く含む空気が室内に供給される。以上のように、この調湿装置では、加湿水分吸着運転と加湿水分離脱運転とが選択的に実行され交互に繰り返されることによって、吸加湿部材への水分の吸着と、吸加湿部材からの水分の離脱とが繰り返される。これにより、無給水での室内の加湿が可能となる。
【００３３】
第９発明に係る調湿装置では、除湿水分吸着運転では、放電部からプラズマが生起されておらず、加湿部材からの水分の離脱が行われない。このため、吸加湿部材を通過する空気に含まれている水分が吸加湿部材に吸着され、水分を奪われた空気が室内へ供給される。これにより、水分の含有量の少ない空気が室内に送られ、室内の除湿が行われる。次に、除湿水分吸着運転から除湿水分離脱運転に切り替えられると、放電部からプラズマが生起され、加湿部材からの水分の離脱が行われる。これにより、水分を多く含む空気が室外に排出される。以上のように、この調湿装置では、除湿水分吸着運転と除湿水分離脱運転とが選択的に実行され交互に繰り返されることによって、吸加湿部材への水分の吸着と、吸加湿部材からの水分の離脱とが繰り返される。これにより、水分の処理が不要な室内の除湿が可能となる。
【発明を実施するための最良の形態】
【００３４】
＜第１実施形態＞
〔空気調和機の概略構成〕
本発明の第１実施形態に係る空気調和機１の外観を図１に示す。
【００３５】
この空気調和機１は、室内の壁面などに取り付けられる室内機２と、室外に設置される室外機３とに分かれて構成されており、室内の冷房および暖房を行うことができる。また、室外機３は、室外空調ユニット５と、室外空調ユニット５上に載置される調湿ユニット４ａとを有している。後述するように、調湿装置４ａは、室外の空気を室内へ供給したり、室内の空気を室外へ排出したりすることができ、室外機３と室内機２との間には、調湿装置４ａからの室外空気や調湿空気等を室内機２側に供給するときや室内の空気を室外に排出するときに用いられる給排気ホース６が設けられている。
【００３６】
〔冷媒回路の構成〕
図２は、空気調和機１に備えられている冷媒回路の系統図に、室内に供給される空気や室外へ排出される空気が通る空気通路を模式的に付加したものである。
【００３７】
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００３８】
また、室内機２内には、クロスフローファン１２と、クロスフローファン１２を回転駆動する室内ファンモータ１３とが設けられている。このクロスフローファン１２は、室内空気を室内機２内に吸い込ませるとともに、室内熱交換器１１との間で熱交換を行った後の空気を室内に吹き出させる。
【００３９】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。
【００４０】
また、室外空調ユニット５内には、室外熱交換器２４での熱交換後の空気を外部に排出するためのプロペラファン２９が設けられている。このプロペラファン２９は、室外ファンモータ３０によって回転駆動される。
【００４１】
〔調湿装置に係る構成〕
調湿装置４ａは、室内から取り込まれた空気を室外へと排出させる排気運転と、室外から取り込まれた空気を室内へと供給する給気運転とを行うことができる。また、給気運転には、室外から取り込まれた空気を加湿して室内へと供給する加湿運転と、室外から取り入れた空気を加湿を行わずに室内へと供給する給気換気運転とがある。調湿装置４ａは、図３に示すように、調湿装置ケーシング４０、吸加湿部材４１、ストリーマ放電発生装置６２、切換ダンパ４４、ラジアルファン組立体４８、吸着用送風装置４６、制御部５１（図６参照）などを備えている。ラジアルファン組立体４８および吸着用送風装置４６は、吸加湿部材４１を通り室外へ排出される空気の流れと、吸加湿部材４１を通り室内へ供給される空気の流れとを生成する送風部を構成している。
【００４２】
〈調湿装置ケーシング〉
調湿装置ケーシング４０は、吸加湿部材４１、ストリーマ放電発生装置６２、ラジアルファン組立体４８、切換ダンパ４４、吸着用送風装置４６などを収納しており、調湿装置ケーシング４０の内部は、正面視における右側が吸加湿部材４１等を収容する空間、左側が吸着用送風装置４６等を収容する空間となっている。
【００４３】
調湿装置ケーシング４０の前面には、複数のスリット状の開口からなる吸着用空気吹出口４０ａが設けられている。調湿装置ケーシング４０の背面には、吸着用空気吸込口４０ｂおよび給排気口４０ｃが左右方向に並んで設けられている。吸着用空気吸込口４０ｂは、吸加湿部材４１に水分を吸着させるために室外から取り込まれる空気が通る開口である。給排気口４０ｃは、給気運転時には室内機２へと送られるために室外から調湿装置４ａ内に取り込まれる空気が通り、排気運転時には室内機２から取り込まれて調湿装置４ａから室外へと排気される空気が通る開口である。調湿装置ケーシング４０の上部は、天板６６により覆われている。
【００４４】
また、図２に示すように、調湿装置ケーシング４０内には、第１空気通路４９ａと第２空気通路４９ｂとが設けられている。第１空気通路４９ａは、室外から吸着用空気吸込口４０ｂを通って取り込まれ、吸加湿部材４１のうちストリーマ放電発生装置６２の放電電極４２と対向しない位置を通り、吸着用空気吹出口４０ａから室外へ排出される空気が通る通路である。第２空気通路４９ｂは、加湿運転時や給気換気運転時において、室外から給排気口４０ｃを通って取り込まれ、吸加湿部材４１のうちストリーマ放電発生装置６２の放電電極４２と対向する位置、ラジアルファン組立体４８および切換ダンパ４４を通り、給排気ダクト６１へ送られる空気が通る通路である。給排気ダクト６１に送られた空気は、給排気ホース６を通って室内機２に送られ、室内機２の吹出し口から室内へ吹き出されることにより室内へ供給される。また、給気換気運転時には、第２空気通路４９ｂには、加湿運転時や給気換気運転時とは逆方向に空気が流れ、第２空気通路４９ｂは、室内から取り込まれ室外へ排出される空気が通る通路となる。
【００４５】
〈吸加湿部材〉
吸加湿部材４１は、図３に示すように、概ね円板形状の外形を有するハニカム構造を有するセラミックロータであり、調湿装置ケーシング４０側に設けられた支持軸４０ｄに、図示しないロータガイドを介して支持されている。吸加湿部材４１は、支持軸４０ｄを通る回転軸ＡＸ１（図４，図５参照）を中心に回転可能に設けられており、ロータ駆動モータ４７によって回転駆動される。この回転軸ＡＸ１は、吸加湿部材４１を通る空気の流れに概ね平行になっている。
【００４６】
吸加湿部材４１は、図４に示すように、複数の短冊状部材４１０が回転軸ＡＸ１を中心に間隔を空けて放射状に配置された形状を有しており、短冊状部材４１０の間の隙間が空気の通過方向に貫通する切り欠きとなっている。なお、図４では、１つの短冊状部材４１０にのみ符号を付して他は省略している。複数の短冊状部材４１０は、それぞれ水平面で切った断面において細かいハニカム（蜂の巣）状になっており、空気が容易に透過できる構造となっている。なお、複数の短冊状部材４１０は、上記のように放射状に配置された状態で図示しない固定部材によって一体化されている。
【００４７】
また、吸加湿部材４１には、ゼオライト、シリカゲル、あるいはアルミナといった吸着剤が担持されている。このゼオライト等の吸着剤は、接触する空気中の水分を吸着可能であると共に、加熱されることによって水分を離脱する性質を有している。
【００４８】
〈ストリーマ放電発生装置〉
図５に示すように、ストリーマ放電発生装置６２は、放電電極４２と接地電極４３と電源回路５０とを有している。
【００４９】
放電電極４２と接地電極４３とは、吸加湿部材４１の回転軸ＡＸ１方向に距離を隔てて配置され、吸加湿部材４１を間に挟んで配置されている。放電電極４２と接地電極４３とは、調湿装置ケーシング４０に固定されており、吸加湿部材４１の一部に対向するように配置されている。このため、吸加湿部材４１が回転しても放電電極４２と接地電極４３とは移動せず、吸加湿部材４１は放電電極４２と接地電極４３とに対して相対的に移動する。なお、放電電極４２と接地電極４３とは、吸加湿部材４１の回転を阻害しないように、それぞれ吸加湿部材４１から若干の距離を隔てて配置されている。放電電極４２は吸加湿部材４１の上面の上方に位置しており、接地電極４３は吸加湿部材４１の下面の下方に位置している。
【００５０】
電源回路５０は、放電電極４２と接地電極４３との間に高圧電圧を印可する。放電電極４２と接地電極４３とに高圧電圧が印可されると、放電電極４２から接地電極４３に向けてストリーマ放電が生起される。
【００５１】
また、吸加湿部材４１のうち放電電極４２および接地電極４３と対向する位置は、上述した第２空気通路４９ｂと交差しており、吸加湿部材４１のうち放電電極４２および接地電極４３が対向しない位置は第１空気通路４９ａと交差している（図２参照）。なお、放電電極４２および接地電極４３は、網目状の形状を有する金属製の部材であり、空気が透過し易くなっている。
【００５２】
〈ラジアルファン組立体〉
ラジアルファン組立体４８は、吸加湿部材４１の側方に配置されており、第２空気通路４９ｂを通る空気の流れを生成する。すなわち、ラジアルファン組立体４８は、給排気口４０ｃから吸加湿部材４１および切換ダンパ４４を経て室内へと到る空気の流れを生成して、室外から取り入れた空気を室内機２へと送る。また、ラジアルファン組立体４８は、室内機２から取り入れた空気を第２空気通路４９ｂを介して室外へと排出することもできる。ラジアルファン組立体４８は、切換ダンパ４４が切り換わることにより、これらの動作を切り換える。
【００５３】
ラジアルファン組立体４８は、室外から取り入れた空気を室内機２へと送る場合には、吸加湿部材４１のうち放電電極４２および接地電極４３と対向する部分を通過した空気を、切換ダンパ４４を経て給排気ダクト６１へと送り出す。給排気ダクト６１は、給排気ホース６に接続されており、ラジアルファン組立体４８は、給排気ダクト６１と給排気ホース６とを介して空気を室内機２へと供給する。
【００５４】
また、ラジアルファン組立体４８は、室内機２から取り入れた室内の空気を室外へと排出する場合には、給排気ホース６を通り給排気ダクト６１から送られてきた空気を給排気口４０ｃから室外へと排出する。
【００５５】
〈切換ダンパ〉
切換ダンパ４４は、ラジアルファン組立体４８の下方に配置される回転式の空気流路切換手段であり、第１切換状態、第２切換状態及び第３切換状態に切り替わる。
【００５６】
第１切換状態においては、ラジアルファン組立体４８から吹き出された空気は、給排気ダクト６１を経て給排気ホース６を通って室内機２へと供給されるようになる。これにより、第１切換状態では、図２の実線矢印Ａ１で示す矢印の向きに空気が流れ、室外空気が加湿され又は加湿されずに給排気ホース６を通って室内機２へと供給される。
【００５７】
第２切換状態では、図２の破線矢印Ａ２で示す矢印の向きに空気が流れ、室内機２から給排気ホース６及び給排気ダクト６１を通ってきた空気が、ラジアルファン組立体４８から給排気口４０ｃを経て室外へと排気される。
【００５８】
第３切換状態では、切換ダンパ４４と給排気ダクト６１とを繋ぐ経路が閉じられ、室外機３と室内機２との間の空気の流れが遮断される。
【００５９】
〈吸着用送風装置〉
吸着用送風装置４６は、吸着用ファンモータ６５と、吸着用ファンモータ６５によって回転駆動される吸着用ファン６８とを有し、第１空気通路４９ａを通る空気の流れを生成する。すなわち、吸着用送風装置４６は、吸着用空気吸込口４０ｂから吸い込まれ、吸加湿部材４１のうち放電電極４２および接地電極４３と対向しない部分を通過し、吸着用空気吹出口４０ａから室外へ排出される空気の流れを生成する。
【００６０】
〈制御部〉
図６に示す制御部５１は、ラジアルファン組立体４８、切換ダンパ４４、ロータ駆動モータ４７、電源回路５０等を制御することによって、加湿運転、給気換気運転および排気運転を行うことができる。
【００６１】
以下、図２および図３に基づいて各運転時の動作について説明する。
【００６２】
〔加湿運転時の動作〕
本実施形態にかかる空気調和機１において加湿運転が行われるときには、上記の切換ダンパ４４は第１切換状態に切り換えられ、ラジアルファン組立体４８および吸着用ファンモータ６５が駆動される。また、電源回路５０がオンにされ、放電電極４２および接地電極４３に高圧電圧が印可される。
【００６３】
吸着用ファンモータ６５が駆動されると、室外の空気が調湿装置４ａ内に取り込まれ、第１空気通路４９ａを通って、室外へ排出される（図２の実線矢印Ａ３参照）。すなわち、室外からの空気は、吸着用空気吸込口４０ｂから調湿装置ケーシング４０内に取り入れられる。調湿装置ケーシング４０内に入ってきた空気は、吸加湿部材４１のうち放電電極４２および接地電極４３に対向しない位置（図２において吸加湿部材４１の左側半分、以下「吸着位置」と呼ぶ）を下方から上方に通過する。このとき、吸加湿部材４１は、吸加湿部材４１の吸着位置を通る空気から水分を吸着する。吸加湿部材４１を通過した空気は、吸着側ダクト４５によって下方に折り返され、吸着側ベルマウス６３の開口６３ａを通り、吸着用空気吹出口４０ａから室外機３の外部へと排出される。
【００６４】
この吸着過程で、吸加湿部材４１のうち吸着位置において水分を吸着した部分は、吸加湿部材４１が回転することによって、吸着位置から放電電極４２および接地電極４３に対向する位置（図２において吸加湿部材４１の右側半分、以下「離脱位置」と呼ぶ）に移動する。
【００６５】
一方、ラジアルファン組立体４８が駆動されると、室外の空気が調湿装置４ａ内に取り込まれ、第２空気通路４９ｂ、給排気ホース６、室内機２を通って、室内へ供給される（図２の実線矢印Ａ１参照）。すなわち、室外の空気は、給排気口４０ｃから調湿装置ケーシング４０内に取り込まれ、吸加湿部材４１の離脱位置の奥側を下方から上方に向けて通過し、吸加湿部材４１の離脱位置の手前側を上方から下方に通過する。この離脱位置では、放電電極４２から発生したストリーマ放電によって吸加湿部材４１に吸着されていた水分が励起され、吸加湿部材４１から離脱位置を通過する空気中に離脱していく。吸加湿部材４１の離脱位置を通過した空気は、切換ダンパ４４、ラジアルファン組立体４８を通り、給排気ダクト６１から給排気ホース６に送られる。給排気ホース６に送られた空気は、室内機２へと送られ、室内機２の吹き出し口から室内へと吹き出される。この室内機２へと送られる空気は、吸加湿部材４１に吸着されていた水分を含むようになっており、これにより室内の加湿が行われる。
【００６６】
以上のように、この調湿装置４ａでは、ストリーマ放電発生装置６２の放電電極４２および接地電極４３が固定的に設けられると共に、吸加湿部材４１が放電電極４２と接地電極４３との間で回転する。このため、吸加湿部材４１において放電電極４２および接地電極４３と対向する部分と、放電電極４２および接地電極４３と対向しない部分とを繰り返し入れ替えることができ、ストリーマ放電を受ける部分と受けない部分とを繰り返し切り替えることができる。これにより、吸加湿部材４１において水分の吸着と離脱とが繰り返され、無給水での室内の加湿が可能となっている。
【００６７】
〔給気換気運転時の動作〕
給気喚起運転が行われる場合には、吸着用ファンモータ６５が作動されず、また、放電電極４２および接地電極４３に電圧が印可されずに、上記の加湿運転と同様の動作が行われる。これにより、室外から取り入れられた空気が、加湿されずに上記と同様の経路を通って室内機２へと送られる。
【００６８】
〔排気運転時の動作〕
次に、排気運転時の動作について説明する。排気運転が行われる場合には、上記の切換ダンパ４４は第２切換状態に切り換えられ、ラジアルファン組立体４８が駆動される。吸着用ファンモータ６５は駆動されず、放電電極４２および接地電極４３には電圧は印可されない。
【００６９】
ラジアルファン組立体４８が駆動されると、室内機２から取り込まれた室内の空気は、給排気ホース６を経て調湿装置４ａの内部に取り込まれ、第２空気通路４９ｂを上記の加湿運転時とは逆方向に流れることにより室外へ排出される（図２の波線矢印Ａ２参照）。すなわち、給排気ダクト６１から調湿装置４ａの内部に取り込まれた空気は、切換ダンパ４４、ラジアルファン組立体４８を通り、吸加湿部材４１の離脱位置のうち手前の部分を下方から上方に通過し、離脱位置のうち奥の部分の上方から下方に向けて通過し、給排気口４０ｃから室外へと排出される。
【００７０】
〔特徴〕
この空気調和機１では、調湿装置４ａにおいて、吸加湿部材４１からの水分の離脱がストリーマ放電発生装置６２によって生起されたストリーマ放電によって行われている。このため、電熱式のヒーターによる加熱によって水分が離脱される場合と比べると、エネルギーの損失が少なく、省エネルギー性を向上させることができる。
【００７１】
また、吸加湿部材４１には空気の通過方向に貫通する複数の切り欠きが設けられているため、ストリーマ放電が吸加湿部材４１の内部まで到達し易くなっている。このため、吸加湿部材４１の内部からも水分を容易に離脱させることができ、調湿装置４ａの加湿能力を向上させることができる。
【００７２】
さらに、吸加湿部材４１は、複数の短冊状部材４１０を組み合わせることによって形成されているため、吸加湿部材４１の焼成後に切削等を行うことなく、容易に切り欠きを形成することができる。
【００７３】
＜第２実施形態＞
本発明の第２実施形態に係る空気調和機が備える調湿装置４ｂを図７に示す。この調湿装置４ｂは、吸加湿部材５４（図９参照）に水分を吸着させる加湿水分吸着運転と、吸加湿部材５４から水分を離脱させる加湿水分離脱運転とを交互に切り替えて行うことによって加湿空気を室内へ送るバッチ式の装置である。なお、調湿装置４ｂを除く構成（室内機２や室外空調ユニット５など）については第１実施形態の空気調和機１と同様である。
【００７４】
〔調湿装置の構成〕
この調湿装置４ｂは、図８および図９に示すように、調湿装置ケーシング５３、吸加湿部材５４、ストリーマ放電発生装置６４（図１０参照）、カバー部材５７、ダクト部材５８、送風ファン組立体５９、制御部７８（図１２参照）等を備えている。
【００７５】
（調湿装置ケーシング）
調湿装置ケーシング５３は、複数の吸加湿部材５４、ストリーマ放電発生装置６４、送風ファン組立体５９等を収納している。調湿装置ケーシング５３の内部は、送風ファン組立体５９を収納する空間と、吸加湿部材５４を収納する空間とに分かれている。具体的には、調湿装置ケーシング５３の内部において、正面視における左側が送風ファン組立体５９を収納する空間となっており、その側方すなわち右側の空間が、吸加湿部材５４を収納する空間となっている。吸加湿部材５４を収納する空間には、ストリーマ放電発生装置６４、カバー部材５７、ダクト部材５８も収納されている。
【００７６】
また、調湿装置ケーシング５３の前面右側、右側面、背面右側には、吸着用空気吸込口５３ａ，５３ｂ，５３ｃが設けられており、調湿装置ケーシング５３内の吸加湿部材５４が収納される空間に連通している。また、調湿装置ケーシング５３の前面左側、左側面、背面左側には、吸着用空気排気口５３ｄ，５３ｅ，５３ｆが設けられており、調湿装置ケーシング５３内の送風ファン組立体５９が収納される空間に連通している。
【００７７】
（吸加湿部材）
図１０に示す複数の吸加湿部材５４は、第１実施形態の吸加湿部材４１と同様に吸着剤が担持されたセラミック製の部材である。なお、図１０では、１つの吸加湿部材５４にのみ符号を付して他は省略している。各吸加湿部材５４は、水平面で切った断面において細かいハニカム（蜂の巣）状になっており空気が容易に透過できる構造となっている。このため、吸加湿部材５４は、透過する空気中の水分を吸着・離脱することができる。また、吸加湿部材５４は、それぞれ板状の形状を有しており、互いに平行に間隔を隔てて配置されている。これらの吸加湿部材５４は、調湿装置ケーシング５３の長手方向に並んで配置されており、複数の吸加湿部材５４の間の隙間は、空気の通過方向すなわち上下方向に沿って設けられている。また、吸加湿部材５４は、第１実施形態の吸加湿部材４１とは異なり、回転せず固定的に設けられている。なお、複数の吸加湿部材５４は全体として長方形の板状の外形を有している。
【００７８】
（ストリーマ放電発生装置）
ストリーマ放電発生装置６４は、図１０に示すように、複数の放電電極８１と、複数の接地電極８２と、電源回路８３とを有している。１つの複数の放電電極８１と複数の接地電極８２とは電源回路８３に接続されており、ストリーマ放電発生装置６４は、放電電極８１と接地電極８２との間に高圧電圧を印可することによって、放電電極８１からストリーマ放電を生起させることができる。
【００７９】
複数の放電電極８１と複数の接地電極８２とは、それぞれ吸脱着部材５４の間の各隙間に配置されており、一対の放電電極８１と接地電極８２とは、その間に一片の吸加湿部材５４を間に挟むように配置されている。
【００８０】
（カバー部材）
カバー部材５７は、図９に示すように、吸加湿部材５４との間に密閉空間ＳＰ１を構成する部材であり、吸加湿部材５４の上面の概ね全体を覆うように設けられている。
【００８１】
（ダクト部材）
ダクト部材５８は、図８および図９に示すように、吸加湿部材５４を通って送風ファン組立体５９に送られる空気が通る空気通路ＳＰ２を構成する部材である。ダクト部材５８は、吸加湿部材５４の下面に対向しており、ダクト部材５８の上に吸加湿部材５４が載置されている。ダクト部材５８の上面は開口しており、ダクト部材５８の開口は吸加湿部材５４の下面に面している。ダクト部材５８の前後方向の幅は吸加湿部材５４の幅より小さく、ダクト部材５８は、吸加湿部材５４の前後方向の中間部分に対向している。このため、吸加湿部材５４の前後方向の中間部分はダクト部材５８の内部の空気通路ＳＰ２に面しているが、吸加湿部材５４の前端部近傍および後端部近傍の部分は、ダクト部材５８の内部の空気通路ＳＰ２に面しておらず、ダクト部材５８の外部の空間に面している。
【００８２】
また、ダクト部材５８の一側端は、送風ファン組立体５９に繋がっており、ダクト部材５８の内部の空気通路ＳＰ２は、送風ファン組立体５９のファン吸気口５９ａに繋がっている。
【００８３】
（送風ファン組立体）
送風ファン組立体５９は、吸加湿部材５４の吸着および脱離のための空気を吸加湿部材５４へ供給する。送風ファン組立体５９は、図１１および図１２に示すように、ファンロータ７１と、ファンモータ７２と、ファンケーシング７３と、ディフューザ７４と、ディフューザ駆動部７５とを備えている。
【００８４】
ファンロータ７１は、ファンモータ７２によって駆動され、回転軸ＡＸ２を中心に回転する。ファンロータ７１は、リング状の主板の内周縁部に多数のフィンが立設されたターボファン（具体的には、遠心＋斜流の複合ファン）である。
【００８５】
ファンケーシング７３は、スクロール形状を有するスクロールケーシングであり、下部にファン吸気口５９ａが形成され、側面にファン給気口５９ｂが形成されている。ファン給気口５９ｂは、図８に示すように、内部配管７６を介して給排気ダクト７７に接続されており、給排気ダクト７７は給排気ホース６（図１参照）に接続されている。また、ファンケーシング７３の上面には、ディフューザ７４によって開閉される開口５９ｃが形成されている。
【００８６】
ディフューザ７４は、ファンケーシング７３の上面の開口５９ｃを覆うように設けられており、開口５９ｃを開閉するように上下方向に移動可能に設けられている。ディフューザ７４が上方に移動した開状態では、開口５９ｃを通ってファンロータ７１の遠心方向に空気が吹き出され、開口５９ｃから吹き出された空気は、調湿装置ケーシング５３の吸着用空気排気口５３ｄ，５３ｅ，５３ｆを通って室外へ排出される。従って、ディフューザ７４が上方に移動した開状態では、ファンロータ７１によって生成される空気の流れは、室外から取り込まれ吸加湿部材５４を通って室外へ排出される第１流れ状態となる。一方、ディフューザ７４が下方へ移動した閉状態では、開口５９ｃが閉じられ、ファン給気口５９ｂから空気が吹き出される。ファン給気口５９ｂから吹き出された空気は、内部配管７６、給排気ダクト７７、及び、給排気ホース６を順に通って室内へと送られる。従って、ディフューザ７４が下方へ移動した閉状態では、ファンロータ７１によって生成される空気の流れは、室外から取り込まれ吸加湿部材５４を通って室内へ供給される第２流れ状態となる。このように、ディフューザ７４は、ファンロータ７１によって生成される空気の流れを第１流れ状態と第２流れ状態とに切り替えることができる。
【００８７】
ディフューザ駆動部７５は、ディフューザ７４を回転軸ＡＸ２に平行な方向に沿って、すなわち上下方向に往復移動させることができる。
【００８８】
（制御部）
図１２に示すように、制御部７８は、ファンモータ７２、ディフューザ駆動部７５、電源回路８３等を制御することによって、加湿運転および給気換気運転を行うことができる。
【００８９】
以下、各運転時の動作について説明する。
【００９０】
〔加湿運転時の動作〕
この空気調和機では、制御部７８は、ファンモータ７２、ディフューザ駆動部７５、電源回路８３等を制御することにより、吸加湿部材５４に水分を吸着させる加湿水分吸着運転と、吸加湿部材５４から水分を離脱させる加湿水分離脱運転とを選択的に実行することができる。制御部７８は、加湿水分吸着運転と加湿水分離脱運転とを交互に行うことにより、吸加湿部材５４への水分の吸着と脱着とを交互に行わせ、無給水での室内の加湿を行うことができる。
【００９１】
〈加湿水分吸着運転〉
まず、加湿水分吸着運転時の動作について説明する。加湿水分吸着運転時には、ディフューザ７４は開状態となり、開口５９ｃは開かれる。送風ファン組立体５９は、水分を吸加湿部材５４に吸着させるのに適した低静圧大風量を得るために低回転で駆動される。また、放電電極８１と接地電極８２とには、電圧が印可されない状態となる。
【００９２】
この場合、図８および図９に示すように、送風ファン組立体５９によって生成される空気の流れは第１流れ状態となる。すなわち、室外の空気は、吸着用空気吸込口５３ａ，５３ｂ，５３ｃから調湿装置ケーシング５３の内部の吸加湿部材５４が収納される空間に取り込まれ、吸加湿部材５４の下面の前端部近傍および後端部近傍を下から上に通ってカバー部材５７の内部の密閉空間ＳＰ１に取り込まれる（図８および図９の矢印Ａ４参照）。カバー部材５７の内部の密閉空間ＳＰ１に取り込まれた空気は、吸加湿部材５４の前後方向の中間部分を上から下に通過して、ダクト部材５８の内部の空気通路ＳＰ２に取り込まれる（図９の矢印Ａ５参照）。このとき、吸加湿部材５４を通過する空気に含まれる水分が吸加湿部材５４に吸着される。吸加湿部材５４を通過してダクト部材５８の内部の空気通路ＳＰ２に取り込まれた空気は、送風ファン組立体５９のファン給気口５９ｂを通って、送風ファン組立体５９の内部に取り込まれる（図８の矢印Ａ６参照）。送風ファン組立体５９の内部に取り込まれた空気は、開口５９ｃ（図１１参照）を通ってファンロータ７１の遠心方向に吹き出され、調湿装置ケーシング５３の吸着用空気排気口５３ｄ，５３ｅ，５３ｆから室外へ排出される（図８および図１１のＡ７参照）。
【００９３】
〈加湿水分離脱運転〉
次に、加湿水分離脱運転時の動作について説明する。加湿水分離脱運転時には、ディフューザ７４は、閉状態となり、送風ファン組立体５９は、水分を吸加湿部材５４から脱離させるのに適した高静圧小風量を得るために高回転で駆動される。また、電源回路８３がオンにされ、放電電極８１と接地電極８２とに高圧電圧が印可される。
【００９４】
この場合、図１３に示すように、送風ファン組立体５９によって生成される空気の流れは第２流れ状態となる。ここで、室外の空気が、吸着用空気吸込口５３ａ，５３ｂ，５３ｃから調湿装置ケーシング５３の内部に取り込まれ送風ファン組立体５９の内部に送られるまでの空気の流れは、上記の加湿水分吸着運転時と同様である。ただし、放電電極８１から生起されたストリーマ放電によって、吸加湿部材５４から水分が離脱して吸加湿部材５４を通過する空気中に放出される。送風ファン組立体５９の内部に取り込まれた空気は、ファン給気口５９ｂから吹き出され、内部配管７６を通って、給排気ダクト７７に送られる（矢印Ａ８参照）。給排気ダクト７７に送られた空気は、給排気ホース６通って室内へと送られる。
【００９５】
〔給気換気運転時の動作〕
給気換気運転時には、空気の流れを上記の加湿水分離脱運転時と同じ第２流れ状態にすると共に、放電電極８１と接地電極８２とに電圧が印可されていない状態にする。これにより、室外の空気を調湿装置４ｂに取り込み、加湿せずに室内へと供給することができる。
【００９６】
〔特徴〕
この空気調和機では、第１実施形態に係る空気調和機１と同様に、調湿装置４ｂにおいて、吸加湿部材５４からの水分の離脱がストリーマ放電によって行われる。このため、電熱式のヒーターによる加熱によって水分の離脱が行われる場合と比べると、エネルギーの損失が少なく、省エネルギー性を向上させることができる。
【００９７】
また、複数の放電電極８１が複数の吸加湿部材の間の各隙間に配置されているため、各吸加湿部材にストリーマ放電が到達し易くなっている。このため、各吸加湿部材５４から水分を十分に離脱させることができ、調湿装置４ｂの加湿能力を向上させることができる。特に、各吸加湿部材の間の隙間が空気の通過方向に沿って設けられているため、ストリーマ放電が各吸加湿部材により到達し易くなっている。
【００９８】
＜他の実施形態＞
（１）
上記の第１実施形態においては、吸加湿部材４１において加湿された空気が室内へと送られているが、吸加湿部材４１において水分が吸着された後の空気が室内へと送られることにより室内の除湿が行われてもよい。
【００９９】
例えば、図１４に示すように、調湿装置４ｃに、第３空気通路４９ｃと第４空気通路４９ｄとが設けられてもよい。第３空気通路４９ｃは、室外から取り込まれ吸加湿部材５４のうち放電電極４２および接地電極４３と対向しない位置を通り室内へ供給される空気が通る空気通路である。第４空気通路４９ｄは、室外から取り込まれ吸加湿部材５４のうち放電電極４２および接地電極４３と対向する位置を通り室外へ排出される空気が通る空気通路である。他の構成については、第１実施形態の調湿装置４ａと同様である。
【０１００】
このような調湿装置４ｃでは、吸加湿部材４１によって除湿された空気を第３空気通路４９ｃを介して室内へ送ると共に、吸加湿部材４１に吸着された水分を第４空気通路４９ｄを通る空気によって室外へと排出することができる。
【０１０１】
（２）
上記の第１実施形態の第１空気通路４９ａでは、室外から取り込まれた空気が吸加湿部材４１に通されているが、室内から取り込まれた空気が調湿装置４ａ内に取り込まれ吸加湿部材４１に通されるように第１空気通路４９ａが構成されてもよい。第２空気通路４９ｂについても同様である。
【０１０２】
また、上記の他の実施形態の第３空気通路４９ｃにおいても、室外から取り込まれた空気が吸加湿部材４１に通されているが、室内から取り込まれた空気が調湿装置４ｃ内に取り込まれ吸加湿部材４１に通されるように第３空気通路４９ｃが構成されてもよい。第４空気通路４９ｄについても同様である。
【０１０３】
さらに、ダンパ等の切換手段によって空気通路が切り換えられることにより、第１実施形態に係る第１空気通路４９ａおよび第２空気通路４９ｂと、他の実施形態の第３空気通路４９ｃおよび第４空気通路４９ｄとが共に調湿装置に設けられてもよい。この場合、各空気通路を流れる空気の流れを切り換えることにより、加湿と除湿との両方を行うことができる。
【０１０４】
なお、上記の場合、給排気ホース６に、室内機２から調湿装置に送られる空気が通る空気通路と、調湿装置から室内機２に送られる空気が通る空気通路との２系統の空気通路が設けられるとよい。これにより、室内機２から調湿装置に室内の空気を送ると同時に、調湿装置から室内機２に調湿された空気又は調湿されていない空気を送ることができる。
【０１０５】
（３）
上記の第２実施形態において、ファンロータ７１によって生成される空気の流れを第３流れ状態にすると共に。放電電極８１と接地電極８２とに電圧が印可されていない状態にする除湿水分吸着運転と、ファンロータ７１によって生成される空気の流れを第４流れ状態にすると共に。放電電極８１と接地電極８２とに高圧電圧が印可されている状態にする除湿水分離脱運転とが交互に行われてもよい。第３流れ状態は、第２流れ状態と同様の空気の流れであり、第４流れ状態は第１流れ状態と同様の空気の流れである。これにより、吸加湿部材５４において水分を吸着され水分量が少なくなった空気が室内に送られ、室内の除湿を行うことができる。
【０１０６】
（４）
上記の第２実施形態においては、第１流れ状態は、室外から取り込まれ吸加湿部材５４を通って室外へ排出される空気の流れ状態であるが、室内から取り込まれ吸加湿部材５４を通って室外へ排出される空気の流れの状態であってもよい。また、第２流れ状態は、室外から取り込まれ吸加湿部材５４を通って室内へ供給される空気の流れ状態であるが、室内から取り込まれ吸加湿部材５４を通って室内へ供給される空気の流れの状態であってもよい。
【０１０７】
さらに、上記の他の実施形態（３）における第３流れ状態および第４流れ状態についても同様に、室内から取り込まれた空気が吸加湿部材５４に通されてもよい。
【０１０８】
（５）
上記の実施形態では、調湿装置４ａ，４ｂは、室外空調ユニット５と共に室内に配置されているが、室内機２と共に室内に配置されるものであってもよい。
【０１０９】
また、上記の実施形態では、調湿装置４ａ，４ｂは、室外空調ユニット５および室内機２と共に利用されているが、室外空調ユニット５や室内機２を伴わず単独で使用されるものであってもよい。
【０１１０】
（６）
上記の第１実施形態では、吸加湿部材４１は、複数の短冊状部材４１０が隙間を空けて放射状に配置されることによりストリーマ放電が行き届き易い構造となっているが、吸加湿部材の構造はこれに限られるものではない。例えば、吸加湿部材が、複数の部材が間隔を空けて直線状に配置された構造を有するものであってもよい。また、吸加湿部材は、複数の別体の部材が一体化されて構成されるものに限らず、１つの部材に切削や穴空け等の加工が施されることにより、空気の通過方向に貫通する切り欠きや孔が形成されたものであってもよい。
【０１１１】
（７）
上記の第２実施形態では、複数の吸加湿部材５４は調湿装置ケーシング５３の長手方向に並べられているが、図１５に示すように、複数の吸加湿部材８４が調湿装置ケーシング５３の長手方向と水平面内において直交する方向、すなわち調湿装置ケーシング５３の前後方向に並んで配置されてもよい。この場合も、複数の吸加湿部材８４の間に空気の通過方向に貫通する隙間が形成され、ストリーマ放電が吸加湿部材８４の各部に届き易い構造とすることができる。
【０１１２】
（８）
上記の第２実施形態では、複数の吸加湿部材５４の間の隙間は、空気の通過方向に沿って設けられているが、図１６に示す複数の吸加湿部材８５のように、各吸脱着部材８５の間の隙間が、吸脱着部材８５を通る空気の通過方向に交差する方向に沿って設けられてもよい。これらの吸脱着部材８５は、空気の通過方向に隙間を隔てて並んで配置されており、上下方向に積層されている。
【０１１３】
この場合、各吸脱着部材８５に空気を十分に通すことができると共に、各吸脱着部材８５にストリーマ放電を届き易くすることができる。
【０１１４】
（９）
上記の実施形態では、ストリーマ放電によって吸加湿部材４１，５４からの水分の離脱が行われているが、ストリーマ放電以外のプラズマが利用されてもよい。
【産業上の利用可能性】
【０１１５】
本発明は、調湿能力を向上させることができる効果を有し、調湿装置および空気調和機として有用である。
【図面の簡単な説明】
【０１１６】
【図１】空気調和機の外観図。
【図２】空気調和機が備える冷媒回路の構成と空気の流れを示す模式図。
【図３】第１実施形態に係る調湿装置の分解斜視図。
【図４】第１実施形態に係る吸加湿部材の構成を示す図。
【図５】第１実施形態に係るストリーマ放電発生装置の構成を示す模式図。
【図６】第１実施形態に係る調湿装置の制御ブロック図。
【図７】第２実施形態に係る調湿装置の外観斜視図。
【図８】第２実施形態に係る調湿装置の内部の上面視における構成、および、加湿水分吸着運転時の空気の流れを示す模式図。
【図９】第２実施形態に係る調湿装置の内部の側面視における構成および空気の流れを示す模式図。
【図１０】第２実施形態に係る吸加湿部材およびストリーマ放電発生装置の構成を示す模式図。
【図１１】第２実施形態に係る送風ファン組立体の構成を示す側面断面図。
【図１２】第２実施形態に係る調湿装置の制御ブロック図。
【図１３】第２実施形態に係る調湿装置の内部の上面視における構成、および、加湿水分離脱運転時の空気の流れを示す模式図。
【図１４】他の実施形態に係る調湿装置の構成と空気の流れを示す模式図。
【図１５】他の実施形態に係る吸加湿部材およびストリーマ放電発生装置の構成を示す模式図。
【図１６】他の実施形態に係る吸加湿部材およびストリーマ放電発生装置の構成を示す模式図。
【符号の説明】
【０１１７】
１                      空気調和機
４ａ，４ｂ，４ｃ        調湿装置
４１，５４，８４，８５  吸脱着部材
４２，８１              放電電極（放電部）
４６                    吸着用送風装置（送風部、第１送風装置、第４送風装置）
４７                    ロータ駆動モータ（駆動部）
４８                    ラジアルファン組立体（送風部、第２送風装置、第３送風装置）４９ａ                  第１空気通路
４９ｂ                  第２空気通路
４９ｃ                  第３空気通路
４９ｄ                  第４空気通路
５９                    送風ファン組立体（送風部）
７４                    ディフューザ（切替部）
７８                    制御部
４１０                  短冊状部材
【図１】
2008064365.tif 000003
【図２】
2008064365.tif 000004
【図３】
2008064365.tif 000005
【図４】
2008064365.tif 000006
【図５】
2008064365.tif 000007
【図６】
2008064365.tif 000008
【図７】
2008064365.tif 000009
【図８】
2008064365.tif 000010
【図９】
2008064365.tif 000011
【図１０】
2008064365.tif 000012
【図１１】
2008064365.tif 000013
【図１２】
2008064365.tif 000014
【図１３】
2008064365.tif 000015
【図１４】
2008064365.tif 000016
【図１５】
2008064365.tif 000017
【図１６】
2008064365.tif 000018